(57)【特許請求の範囲】
【請求項１】
遊技球が流下可能な遊技領域を有する遊技盤と、前記遊技盤の裏側に配設され、図柄を変動させて表示する図柄表示装置と、前記遊技盤の遊技領域に配設され、開口部を介して前記図柄表示装置の表示領域を露出させる枠状の装飾部材と、前記遊技盤において前記装飾部材の下方に配設され、前記遊技領域内を流下する遊技球が入賞可能であり、遊技球の入賞を契機として前記図柄表示装置での図柄の変動表示を開始させる始動入賞装置と、前記遊技盤に配設され、前記図柄表示装置での図柄の変動結果に応じて開放することにより前記遊技領域内を流下する遊技球が入賞可能となる特別入賞装置と、普通図柄を変動させて表示する普通図柄表示部と、前記普通図柄表示部での普通図柄の変動結果に応じて前記始動入賞装置の入賞口を開放する開閉部材とを備えた遊技機において、
前記装飾部材は、
前記装飾部材の側部に一体的に設けられ、前記遊技領域内を流下する遊技球が上方から通過可能であり、遊技球の通過を契機として前記普通図柄表示部での普通図柄の変動表示を開始させる普通図柄作動口と、
前記装飾部材の側部に設けられ、前記普通図柄作動口よりも遊技球が通過不能な間隔を隔てて前記開口部側に配置され、前記遊技領域内を流下する遊技球が側方から迂回経路内に進入可能な第１球入口と、
前記装飾部材の側部において前記第１球入口の下方に設けられ、前記第１球入口を介して前記迂回経路内に進入した遊技球を、前記装飾部材の側部から前記遊技領域において前記普通図柄作動口の下方の領域に放出する第１球出口と、
前記装飾部材の側部において前記第１球出口の下方に設けられ、前記遊技領域内を流下する遊技球が側方から進入可能な第２球入口と、
前記装飾部材の側部に設けられ、前記第２球入口を通過した遊技球を前記装飾部材の内側領域に案内する球案内通路と、
前記装飾部材の内側領域の下部に設けられ、前記球案内通路から案内された遊技球を前記遊技領域に放出するステージと
を備え、
前記迂回経路は、
前記普通図柄作動口の前記開口部側に隣接し、
前記第１球入口を介して前記迂回経路内に進入した遊技球を前記第１球出口に案内するガイド部材であるガイド板、及び、前記迂回経路を前方から覆うように設けられるとともに前記ガイド板の前端に接続される装飾カバー部材によって構成され、
前記ガイド板は、前記装飾部材の外側領域を向いた凹状の湾曲面を有し、
前記装飾カバー部材は、複数の孔部を有しており、前記迂回経路内を正面から視認できるように形成されている
ことを特徴とする遊技機。
【請求項２】
前記第１球出口の下端部には第１球出口側突片が設けられ、
前記第１球出口側突片は、前記第１球出口の開口端から左方に突出し、前記第１球出口側突片の上面は、前記ガイド板の湾曲面に接続され、
前記第１球出口側突片の突出量は、前記第１球出口側突片の先端が前記普通図柄作動口の開口端の直下に到達する程度に設定され、
前記第１球出口側突片の突出方向の延長線上には、前記遊技領域内を流下する遊技球、または、前記第１球出口から放出された遊技球を前記第２球入口に誘導しうる誘導釘が植設されている
ことを特徴とする請求項１に記載の遊技機。
【請求項３】
発射装置によって発射された遊技球は、遊技盤面上にある内レールと外レールとの間に生じる発射経路を通過した後、前記発射経路の終端部に存在する球戻り防止部材を介して前記遊技領域に進入するようになっており、
前記遊技領域に、前記遊技領域内を流下する遊技球の方向を変更する複数の遊技釘が植設され、
前記装飾部材の左上部は、前記外レールと略平行な正面視略円弧状に形成されるとともに、
前記装飾部材の中央部から左側に行くに従って低くなる遊技球転動通路上に、前記遊技球転動通路の上流側に位置する第１面と、前記遊技球転動通路の下流側に位置する第２面とを備え、前記第１面の面積が前記第２面の面積よりも大きい断面略三角形状の突部を有し、
前記複数の遊技釘は、
前記球戻り防止部材の右側の領域において前記外レール及び前記遊技球転動通路の延びる方向と直交するように植設され、その上方を通過した遊技球が前記発射経路に戻ることを防止する複数の球戻り防止用釘と、
前記複数の球戻り防止用釘を越えて前記複数の球戻り防止用釘の右側に到達した遊技球を前記遊技球転動通路上に案内する案内釘と、
前記突部の先端よりも左側かつ上方の領域に植設され、前記遊技球転動通路上を転動してきて前記突部の前記第１面上を通過して跳ね上げられた遊技球の衝突により遊技球の勢いを弱める減速釘と
からなり、
前記突部の先端と前記減速釘との距離は、遊技球の直径の１．０倍よりも大きく１．５倍以下であり、
前記突部の前記第１面を正面から見たときの延長線に直交して前記減速釘と前記遊技球転動通路とを結ぶ線分の長さは、遊技球の直径の１．０倍よりも大きく、
前記線分及び前記延長線の交点と前記減速釘との距離は、遊技球の直径の１．０倍未満である
ことを特徴とする請求項１または２に記載の遊技機。
【発明の詳細な説明】
【技術分野】
【０００１】
本発明は、遊技盤に取り付けられる装飾部材に特徴を有する遊技機に関するものである。
【背景技術】
【０００２】
パチンコ機やアレンジボール機等の遊技機には、機内部に配置された遊技盤上に遊技領域が区画形成され、遊技領域の略中央部に枠状の装飾部材（いわゆるセンター役物）が配設されている。また、装飾部材の後側には、複数の図柄を変動表示して図柄変動ゲームを行う液晶式やドラム式の図柄表示装置が配設され、図柄表示装置の表示領域は、装飾部材の開口部を介して露出するようになっている。さらに、装飾部材の下方には、遊技球の入賞を契機として図柄表示装置での変動表示を開始させる始動入賞装置が配設されている。なお、この種の遊技機では、遊技領域に打ち出された遊技球が始動入賞装置に入賞することにより、図柄表示装置において図柄変動ゲームが開始され、リーチ演出等の遊技演出がなされるようになっている。そして、図柄表示装置において図柄が所定の組み合わせで停止すると、遊技者に有利な特別遊技状態（いわゆる大当り）が発生するようになっている。
【０００３】
このように、大当りの発生には始動入賞装置への遊技球の入賞が必要とされるため、遊技者は、図柄表示装置での図柄変動ゲームと同様に、始動入賞装置への遊技球の入賞にも大きな関心を持って遊技を楽しんでいる。そこで、装飾部材の内側領域の下部に遊技球が左右方向に転動するステージを設け、遊技領域内を流下する遊技球を、装飾部材に設けた球入口（いわゆるワープ入口）及び球案内通路（いわゆるワープ通路）を介してステージ上に案内し、さらにステージ上を転動させた後に遊技領域に放出させる遊技機が提案されている（例えば特許文献１参照）。この特許文献１に記載の遊技機によれば、遊技球の動きに多様性を与えて遊技者を楽しませることができる。また、特許文献１に記載の遊技機は、始動入賞装置の入賞口を開放する電動式の羽根部材を備えている。この羽根部材は、普通図柄作動口への遊技球の通過を契機として変動する普通図柄の変動結果に応じて開放することにより、始動入賞装置への遊技球の入賞に対する期待を高めている。
【特許文献１】特開２００２−２９１９９７号公報（［００２３］、図２など）
【発明の開示】
【発明が解決しようとする課題】
【０００４】
ところで、特許文献１に開示されている普通図柄作動口は、装飾部材の左端部近傍に配設され、遊技球は、普通図柄作動口と球入口との間の領域を流下しうるようになっている。具体的に言うと、遊技領域内において装飾部材の左端部近傍まで流下した遊技球は、１．球入口から球案内通路に進入する経路、２．普通図柄作動口を通過する経路、３．普通図柄作動口と球入口との間の経路のいずれかを通過する。ところが、普通図柄作動口を通過した遊技球（２．の経路を通過した遊技球）は、その後、遊技領域内を流下するだけであって球入口に案内されることはないため、面白みに欠けてしまうという問題がある。
【０００５】
また近年は、図柄表示装置の大型化に伴って装飾部材も大型化されているため、遊技領域の大部分を装飾部材が占有するようになっている。よって、上記３．の経路を確保するためには、遊技領域において球入口から離れた箇所（具体的には内レールの近傍）に普通図柄作動口を配置する必要がある。この場合、遊技領域内を流下する遊技球を球入口に誘導する遊技釘とは別に、遊技球を普通図柄作動口に誘導する遊技釘を配置しなければ、遊技球を普通図柄作動口に誘導することができない。ゆえに、遊技釘の取付位置の自由度が小さくなる。
【０００６】
本発明は上記の課題に鑑みてなされたものであり、その目的は、遊技球の動きに多様性を持たせることにより興趣の向上を図ることができ、遊技領域において遊技釘の取付位置の自由度を高めることができる遊技機を提供することにある。
【課題を解決するための手段】
【０００７】
上記の課題を解決するために、請求項１に記載の発明は、遊技球が流下可能な遊技領域を有する遊技盤と、前記遊技盤の裏側に配設され、図柄を変動させて表示する図柄表示装置と、前記遊技盤の遊技領域に配設され、開口部を介して前記図柄表示装置の表示領域を露出させる枠状の装飾部材と、前記遊技盤において前記装飾部材の下方に配設され、前記遊技領域内を流下する遊技球が入賞可能であり、遊技球の入賞を契機として前記図柄表示装置での図柄の変動表示を開始させる始動入賞装置と、前記遊技盤に配設され、前記図柄表示装置での図柄の変動結果に応じて開放することにより前記遊技領域内を流下する遊技球が入賞可能となる特別入賞装置と、普通図柄を変動させて表示する普通図柄表示部と、前記普通図柄表示部での普通図柄の変動結果に応じて前記始動入賞装置の入賞口を開放する開閉部材とを備えた遊技機において、前記装飾部材は、前記装飾部材の側部に一体的に設けられ、前記遊技領域内を流下する遊技球が上方から通過可能であり、遊技球の通過を契機として前記普通図柄表示部での普通図柄の変動表示を開始させる普通図柄作動口と、前記装飾部材の側部に設けられ、前記普通図柄作動口よりも遊技球が通過不能な間隔を隔てて前記開口部側に配置され、前記遊技領域内を流下する遊技球が側方から迂回経路内に進入可能な第１球入口と、前記装飾部材の側部において前記第１球入口の下方に設けられ、前記第１球入口を介して前記迂回経路内に進入した遊技球を、前記装飾部材の側部から前記遊技領域において前記普通図柄作動口の下方の領域に放出する第１球出口と、前記装飾部材の側部において前記第１球出口の下方に設けられ、前記遊技領域内を流下する遊技球が側方から進入可能な第２球入口と、前記装飾部材の側部に設けられ、前記第２球入口を通過した遊技球を前記装飾部材の内側領域に案内する球案内通路と、前記装飾部材の内側領域の下部に設けられ、前記球案内通路から案内された遊技球を前記遊技領域に放出するステージとを備え、前記迂回経路は、前記普通図柄作動口の前記開口部側に隣接し、前記第１球入口を介して前記迂回経路内に進入した遊技球を前記第１球出口に案内するガイド部材であるガイド板、及び、前記迂回経路を前方から覆うように設けられるとともに前記ガイド板の前端に接続される装飾カバー部材によって構成され、前記ガイド板は、前記装飾部材の外側領域を向いた凹状の湾曲面を有し、前記装飾カバー部材は、複数の孔部を有しており、前記迂回経路内を正面から視認できるように形成されていることを特徴とする遊技機をその要旨とする。
【０００８】
従って、請求項１に記載の発明によると、普通図柄作動口の下方に第１球出口が設けられ、第１球出口の下方に第２球入口が設けられているため、第１球出口から放出された遊技球だけでなく、普通図柄作動口を通過した遊技球であっても、第２球入口を介してステージに案内される可能性がある。よって、遊技球の動きに多様性を持たせることができ、興趣の向上を図ることができる。さらに、第１球出口の下方に第２球入口が設けられているため、第１球入口を介して迂回経路内に進入したにもかかわらず第１球出口から放出された遊技球であっても、第２球入口を介してステージに案内される可能性がある。よって、遊技球の動きがさらに多様化されるため、遊技の興趣がよりいっそう向上する。
【０００９】
また、第１球入口が、普通図柄作動口よりも遊技球が通過不能な間隔を隔てて開口部側に設けられている。換言すると、普通図柄作動口は、装飾部材に設けられた第１球入口の近傍に配置されている。これにより、第１球入口の近傍にある遊技球が、第１球入口だけでなく普通図柄作動口にも誘導されうるため、遊技球を誘導する遊技釘を共通化でき、それ以外の遊技釘の取付位置の自由度が高くなる。
【００１０】
なお、第１球入口は、普通図柄作動口の上方に配置されていてもよいし、普通図柄作動口の下方に配置されていてもよいが、普通図柄作動口の上方に配置されることが好ましい。このように配置される場合、遊技領域内において普通図柄作動口及び第１球出口の近傍を流下する遊技球は、普通図柄作動口を通過する可能性もあるし、第１球出口から迂回経路内に進入する可能性もある。これにより、遊技球の動きがさらに多様化されるため、遊技の興趣がよりいっそう向上する。
【００１１】
ここで、「ステージ」とは、装飾部材の内側領域の下部であって図柄表示装置の下側に配置されており、例えば始動入賞装置の入賞口などへの入賞経路を構成するものである。ステージの上面は、凸部及び凹部のない平坦形状をなすものであってもよいし、凸部及び凹部からなる起伏形状をなすものであってもよい。
【００１３】
また、請求項１に記載の発明によると、迂回経路を構成するガイド部材が湾曲面を有しているため、遊技球を、湾曲面に沿ってスムーズに転動させて第１球出口から確実に放出させることができる。ゆえに、遊技球の動きに変化をつけることができ、その動きが面白いものとなる。さらに、普通図柄作動口を通過する遊技球の動きが直線的なのに対し、迂回経路を通過する遊技球の動きは曲線的であるため、遊技球の動きに多様性を持たせることができる。しかも、普通図柄作動口が下方に遊技球を放出するのに対し、迂回経路が第１球出口から横方向に遊技球を放出することができるため、遊技球の動きがさらに多様化される。従って、遊技者は、迂回経路内の遊技球の動きに興味を持つことになるため、遊技の興趣がよりいっそう向上する。なお、迂回経路内の遊技球の動きに興味を持たせるためには、迂回経路内を通過する遊技球の様子が遊技者から見えることがよい。
【００１４】
ここで、ガイド部材としては、凹状に湾曲形成されたガイド板や、湾曲面を有するブロック状のガイド部材などを挙げることができる。
【００１５】
請求項２に記載の発明は、請求項１において、前記第１球出口の下端部には第１球出口側突片が設けられ、前記第１球出口側突片は、前記第１球出口の開口端から左方に突出し、前記第１球出口側突片の上面は、前記ガイド板の湾曲面に接続され、前記第１球出口側突片の突出量は、前記第１球出口側突片の先端が前記普通図柄作動口の開口端の直下に到達する程度に設定され、前記第１球出口側突片の突出方向の延長線上には、前記遊技領域内を流下する遊技球、または、前記第１球出口から放出された遊技球を前記第２球入口に誘導しうる誘導釘が植設されていることをその要旨とする。
【００１６】
従って、請求項２に記載の発明によると、第１球出口から放出された遊技球は、そのまま遊技領域内を流下するのではなく、第１球出口側突片によって誘導釘側に導かれる。さらに、遊技球は、誘導釘に跳ね返って第２球入口に誘導されうるようになっている。ゆえに、遊技球の動きに変化をつけることができ、その動きが複雑化される。従って、遊技者は、第１球出口→誘導釘→第２球入口の順に移動する遊技球の動きに興味を持つことになるため、遊技の興趣がよりいっそう向上する。また、遊技者は、誘導釘に跳ね返った遊技球が第２球入口に入ることに対して期待することができる。
【００１７】
また、第１球出口側突片が普通図柄作動口の下方の領域に位置するため、第１球出口側突片には、普通図柄作動口を通過して遊技領域内を流下する遊技球が接触する可能性がある。この場合、遊技球の方向が変更されるため、遊技球の動きに変化をつけることができ、その動きが複雑化される。
【００１８】
なお、第１球出口側突片の突出量は、第１球出口側突片の先端が普通図柄作動口の開口端の直下に到達する程度、換言すると、第１球出口側突片の先端が普通図柄作動口を通過して遊技領域内を流下（落下）する遊技球に何とか接触する程度に設定されることが好ましい。仮に、第１球出口側突片の突出量が小さすぎると、普通図柄作動口を通過して遊技領域内を流下する遊技球の方向に影響を及ぼすことができなくなる。一方、第１球出口側突片の突出量が大きすぎると、普通図柄作動口を通過した遊技球の方向に大きな影響を及ぼすため、遊技球が第２球入口に進入する可能性が小さくなってしまう。その結果、遊技者は、遊技球の動きに対して期待できなくなる。
請求項３に記載の発明は、請求項１または２において、発射装置によって発射された遊技球は、遊技盤面上にある内レールと外レールとの間に生じる発射経路を通過した後、前記発射経路の終端部に存在する球戻り防止部材を介して前記遊技領域に進入するようになっており、前記遊技領域に、前記遊技領域内を流下する遊技球の方向を変更する複数の遊技釘が植設され、前記装飾部材の左上部は、前記外レールと略平行な正面視略円弧状に形成されるとともに、前記装飾部材の中央部から左側に行くに従って低くなる遊技球転動通路上に、前記遊技球転動通路の上流側に位置する第１面と、前記遊技球転動通路の下流側に位置する第２面とを備え、前記第１面の面積が前記第２面の面積よりも大きい断面略三角形状の突部を有し、前記複数の遊技釘は、前記球戻り防止部材の右側の領域において前記外レール及び前記遊技球転動通路の延びる方向と直交するように植設され、その上方を通過した遊技球が前記発射経路に戻ることを防止する複数の球戻り防止用釘と、前記複数の球戻り防止用釘を越えて前記複数の球戻り防止用釘の右側に到達した遊技球を前記遊技球転動通路上に案内する案内釘と、前記突部の先端よりも左側かつ上方の領域に植設され、前記遊技球転動通路上を転動してきて前記突部の前記第１面上を通過して跳ね上げられた遊技球の衝突により遊技球の勢いを弱める減速釘とからなり、前記突部の先端と前記減速釘との距離は、遊技球の直径の１．０倍よりも大きく１．５倍以下であり、前記突部の前記第１面を正面から見たときの延長線に直交して前記減速釘と前記遊技球転動通路とを結ぶ線分の長さは、遊技球の直径の１．０倍よりも大きく、前記線分及び前記延長線の交点と前記減速釘との距離は、遊技球の直径の１．０倍未満であることをその要旨とする。
【発明の効果】
【００１９】
以上詳述したように、請求項１〜３に記載の発明によれば、遊技球の動きに多様性を持たせることにより興趣の向上を図ることができ、遊技領域において遊技釘の取付位置の自由度を高めることができる遊技機を提供することができる。特に、請求項１によれば、遊技の興趣がよりいっそう向上する。
【発明を実施するための最良の形態】
【００２０】
以下、本発明を遊技機（パチンコ機）の遊技盤１１に具体化した一実施形態を図面に基づき説明する。
（１）遊技盤１１の構成
【００２１】
図１に示されるように、遊技盤１１の遊技盤面１１ａには、遊技領域１２を区画する内レール１３ａ及び外レール１３ｂが略円形状に敷設されている。また、内レール１３ａと外レール１３ｂとの間に生じる発射経路１４には、操作ハンドル（図示略）を操作した際に発射装置によって発射された遊技球Ａ１（図６等参照）が通過するようになっている。そして、発射経路１４を通過した遊技球Ａ１は、発射経路１４の終端部に存在する球戻り防止部材１５を押し広げて遊技領域１２に進入し、遊技領域１２内を流下するようになっている。また、遊技領域１２内には風車１６が配設され、遊技領域１２のほぼ全域には複数の遊技釘４１が植設されている。風車１６及び各遊技釘４１は、遊技領域１２内を流下する遊技球Ａ１の方向を変更するようになっている。
【００２２】
図１に示されるように、遊技盤１１の後側には、複数種類の図柄を変動表示して図柄変動ゲームを行う図柄表示装置１８が配設されている。さらに、遊技領域１２の略中央部には、『装飾部材』としてのセンター役物３１が配設されている。センター役物３１は、図柄表示装置１８を装飾するための枠状部材である。図２，図３等に示されるように、センター役物３１を構成する合成樹脂製の役物本体３２の前面には全体的に装飾が施されており、その略中央部には横長矩形状の開口部３３が設けられている。この開口部３３は、図柄表示装置１８の表示領域Ｈを露出させるべく、表示領域Ｈの大きさに対応して形成されている。また、役物本体３２の外周部には、遊技盤１１への取り付けの際に遊技領域１２に当接するフランジ部３４が突設されている。そして、フランジ部３４の複数箇所を図示しないネジで固定することにより、センター役物３１が遊技盤１１に取り付けられる（図１参照）。
【００２３】
なお図１に示されるように、センター役物３１は、遊技領域１２の右上に偏った状態で配置され、開口部３３を含むセンター役物３１の設置領域の面積は、遊技領域１２の面積の６５％程度を占めている。このため、遊技領域１２に進入した遊技球Ａ１の殆どが、センター役物３１の左側の領域を流下するようになる。即ち、遊技球Ａ１が流下可能な遊技領域１２は、実質的にセンター役物３１の上方、左方及び下方に略限定されている。また、センター役物３１と前記内レール１３ａとの最短距離が遊技球Ａ１の直径の２倍程度に設定されているため、センター役物３１と内レール１３ａとの距離が最短距離となる領域は、役物（風車など）が設置困難な大きさとなっている。
【００２４】
また、センター役物３１の下方には、第１始動入賞口２２ａと第２始動入賞口２２ｂとが形成された始動入賞装置２２が配設されている。第１始動入賞口２２ａ及び第２始動入賞口２２ｂには、遊技領域１２内を流下する遊技球Ａ１が入賞可能になっている。なお、第１始動入賞口２２ａへの遊技球Ａ１の入賞を契機として前記図柄表示装置１８による図柄変動ゲームが開始されると、所定数（本実施形態では３個）の賞球の払い出しが行われるようになっている。同様に、第２始動入賞口２２ｂへの遊技球Ａ１の入賞を契機として図柄表示装置１８による図柄変動ゲームが開始されると、所定数（本実施形態では４個）の賞球の払い出しが行われるようになっている。
【００２５】
図１に示されるように、第２始動入賞口２２ｂは、第１始動入賞口２２ａの直下に配置され、普通電動役物が一体的に構成された入賞口である。普通電動役物は、『開閉部材』である一対の羽根部材２２ｃからなり、図示しないソレノイドの励磁作用で第２始動入賞口２２ｂを開放することにより、第２始動入賞口２２ｂへの遊技球Ａ１の入賞が許容されるようになっている。
【００２６】
また、始動入賞装置２２の下方には、図示しないソレノイドにより開閉動作を行う開閉扉を備えた『特別入賞装置』である大入賞装置２４が配設されている。大入賞装置２４は、大入賞口への遊技球の入賞を契機として、所定数（本実施形態では１５個）の賞球の払い出しが行われるようになっている。さらに、遊技領域１２において大入賞装置２４の左方には、左下外入賞口２３ａと左下内入賞口２３ｂとが配設されている。また、遊技領域１２において大入賞装置２４の右方には、右下外入賞口２３ｃと右下内入賞口２３ｄとが配設されている。これらの入賞口２３ａ，２３ｂ，２３ｃ，２３ｄは、遊技球の入賞を契機として、所定数（本実施形態では１０個）の賞球の払い出しが行われるようになっている。なお、遊技領域１２の最下部（内レール１３ａの下端部）には、いずれの入賞口２２，２３ａ〜２３ｄ，２４にも入賞しなかった遊技球Ａ１を回収するためのアウト口２５が配置されている。
【００２７】
図１等に示されるように、前記センター役物３１の左側部には、遊技球Ａ１の通過を検知する機能を有する『普通図柄作動口』であるゲート２６が一体的に設けられている。ゲート２６は、上下方向に開口しており、遊技領域１２内を流下する遊技球Ａ１が上方から通過可能になっている。ゲート２６の奥方には、通過した遊技球Ａ１を検知するゲートスイッチ２７（図９，図１０参照）が設けられている。なお、ゲートスイッチ２７にて遊技球Ａ１が検知された場合に乱数を取得し、取得した乱数が所定の乱数値であるか否かに基づいて前記普通電動役物のソレノイドが駆動される。このような開放判定によって普通電動役物の一対の羽根部材２２ｃが開放されるため、第２始動入賞口２２ｂに遊技球Ａ１が入賞しやすくなる。
【００２８】
図１，図２等に示されるように、センター役物３１の右下部には、当りの図柄「○」を示す可視表示部と、ハズレの図柄「×」を示す可視表示部とを備えた普通図柄表示部３５が配設されている。この普通図柄表示部３５では、ゲートスイッチ２７にて遊技球Ａ１が検知された場合に、普通図柄を変動させて表示（「○」及び「×」を交互に点灯）する普通図柄変動ゲームが開始され、該普通図柄変動ゲームの結果として、乱数抽選の結果を示す普通図柄が表示（一方の可視表示部が点灯）されるようになっている。そして、当りの図柄が導出された場合（普通図柄変動ゲームに当選した場合）、普通電動役物のソレノイドが所定時間だけ駆動され、一対の羽根部材２２ｃが開放されるようになっている。
【００２９】
また、普通図柄表示部３５の右上には、普通図柄保留表示装置Ｆが配設されている。普通図柄保留表示装置Ｆは、第１保留ランプ、第２保留ランプ、第３保留ランプ及び第４保留ランプからなる複数（４個）の発光手段によって構成されている。保留ランプは、ゲート２６の通過を契機として記憶された遊技球Ａ１（普通図柄保留球）が存在する場合に点灯し、普通図柄保留球が存在しない場合に消灯する。各保留ランプは、普通図柄保留球の数（普通図柄保留球数）を示すためのものである。例えば、普通図柄保留球が２個である場合、２個の保留ランプが点灯する。
【００３０】
ここで、「普通図柄保留球数」とは、ゲート２６を通過した遊技球Ａ１の数を所定の最大値（本実施形態では４）の範囲で記憶した値である。普通図柄保留球数は、ゲート２６への遊技球Ａ１の通過により「＋１」され、開放判定が行われたことにより「−１」される。
（２）センター役物３１の左上部の構成
【００３１】
図１〜図８に示されるように、センター役物３１の左上部は、前記外レール１３ｂと略平行な正面視略円弧状に形成されており、センター役物３１の中央部から左側に行くに従って低くなる傾斜した円弧状の遊技球転動通路９１を有している。遊技球転動通路９１は、遊技領域１２の上部位置に打ち出されて遊技球転動通路９１へ流下した遊技球Ａ１を、遊技球転動通路９１に沿ってセンター役物３１の左側部へ流下案内するようになっている。
【００３２】
図３，図６〜図８に示されるように、遊技球転動通路９１上には、上流側突部９２、第１突部９３及び第２突部９４が互いに離間した状態で配設されている。上流側突部９２、第１突部９３及び第２突部９４は、遊技球転動通路９１上を転動してきた遊技球Ａ１を跳ね上げるためのものである。上流側突部９２は、遊技球転動通路９１において最も上流側に配置された突部である。第１突部９３は、上流側突部９２よりも遊技球Ａ１の略４個分の直径だけ遊技球転動通路９１の下流側に配置されている。第２突部９４は、第１突部９３よりも遊技球Ａ１の略直径分だけ遊技球転動通路９１の下流側に配置されている。また、上流側突部９２、第１突部９３及び第２突部９４は、遊技球転動通路９１の上流側に位置する第１面９５と、遊技球転動通路９１の下流側に位置する第２面９６とを有し、それぞれ断面略三角形状をなしている。各突部９２，９３，９４において、第１面９５の面積は第２面９６の面積よりも大きくなっている。また、遊技球転動通路９１からの上流側突部９２の突出量は、遊技球Ａ１の直径の約７分の１に設定され、遊技球転動通路９１からの第１突部９３及び第２突部９４の突出量は、遊技球Ａ１の直径の約６分の１に設定されている。さらに、各突部９２，９３，９４の奥行方向（遊技球転動通路９１に直交する方向）の長さは、互いに等しくなっている。そして、第１突部９３及び第２突部９４は互いに同一形状をなしている。また、第１突部９３が有する第１面９５の水平面を基準とした傾斜角は、上流側突部９２が有する第１面９５の水平面を基準とした傾斜角よりも小さく、第２突部９４が有する第１面９５の水平面を基準とした傾斜角は、第１突部９３が有する第１面９５の水平面を基準とした傾斜角よりも小さくなっている。即ち、第１面９５の水平面を基準とした傾斜角は、下流側の突部に行くに従って大きくなっている。
【００３３】
図１〜図５に示されるように、前記センター役物３１の左上部の前側には、遊技球転動通路９１に沿って延びる跳ね上げ防止板９７が取り付けられている。跳ね上げ防止板９７は、遊技球転動通路９１を転動する遊技球Ａ１が前側に跳ね上がるのを防止するためのものである。跳ね上げ防止板９７は、各突部９２，９３，９４を正面から視認できないように覆っている。即ち、遊技球転動通路９１からの跳ね上げ防止板９７のセンター役物３１から離間する方向への突出量は、遊技球転動通路９１からの各突部９２，９３，９４の突出量よりも大きくなっている。また、跳ね上げ防止板９７の長手方向における長さは、上流側突部９２から第２突部９４までの距離よりも長くなっている。なお、跳ね上げ防止板９７の前面には、文字や絵などの装飾が施されている。また、センター役物３１内において各突部９２，９３，９４の裏側（後方）となる箇所には、跳ね上げ防止板９７の後方にある図示しない発光ダイオード（発光手段）を発光させるための発光制御基板９８が設けられている（図２参照）。
（３）遊技釘４１の配置
【００３４】
図１，図５〜図８に示されるように、前記各遊技釘４１の一部は、球戻り防止用釘４２、案内釘４３及び減速釘４４ａ，４４ｂ，４４ｃとなっている。これら球戻り防止用釘４２、案内釘４３及び減速釘４４ａ〜４４ｃは、正面視で跳ね上げ防止板９７によって隠れない位置に植設されている。球戻り防止用釘４２は、前記遊技領域１２において複数本存在しており、前記球戻り防止部材１５の右側の領域において前記外レール１３ｂ、遊技球転動通路９１及び跳ね上げ防止板９７が延びる方向と直交するように植設されている。そして、各球戻り防止用釘４２よりも右側の位置に上流側突部９２が配置され、各球戻り防止用釘４２よりも左側の位置に第１突部９３及び第２突部９４が配置されている。また、隣接する球戻り防止用釘４２間の距離は、遊技球Ａ１の直径分よりも小さくなっている。各球戻り防止用釘４２は、最も上方に位置する球戻り防止用釘４２の上方を通過して各球戻り防止用釘４２の右側に到達した遊技球Ａ１が前記発射経路１４に戻ることを防止するためのものである。また、案内釘４３は、遊技領域１２において複数本存在しており、遊技球転動通路９１及び跳ね上げ防止板９７が延びる方向に沿って植設されている。各案内釘４３は、各球戻り防止用釘４２を越えて各球戻り防止用釘４２の右側に到達した遊技球Ａ１を遊技球転動通路９１上に案内するためのものである。
【００３５】
図６〜図８に示されるように、減速釘４４ａ〜４４ｃは、上流側突部９２の近傍と突部９３，９４の近傍とにそれぞれ植設されている。詳述すると、上流側突部９２の近傍にある減速釘４４ａは、上流側突部９２の先端（具体的には、第１面９５と第２面９６との接続部分）よりも左側かつ上方の領域に１本植設されている。減速釘４４ａは、遊技球転動通路９１上を転動してきて上流側突部９２の第１面９５上を通過して跳ね上げられた遊技球Ａ１の衝突により、遊技球Ａ１の勢いを弱めるようになっている。また、突部９３，９４の近傍にある減速釘４４ｂ，４４ｃは、第１突部９３の先端（具体的には、第１面９５と第２面９６との接続部分）よりも左側かつ上方の領域であって、第２突部９４の先端（具体的には、第１面９５と第２面９６との接続部分）よりも上方の領域に、２本植設されている。即ち、第２突部９４は減速釘４４ｂ，４４ｃの略直下に配置されている。減速釘４４ｂ，４４ｃは、遊技球転動通路９１上を転動してきて第１突部９３の第１面９５上を通過して跳ね上げられた遊技球Ａ１の衝突により、遊技球Ａ１の勢いを弱めるようになっている。そして、減速釘４４ｂ，４４ｃに衝突した遊技球Ａ１は、落下して第２突部９４に衝突するようになっている。
【００３６】
なお図７（ａ），（ｂ）に示されるように、上流側突部９２の先端と、減速釘４４ａの軸部（図６，図７の破線部分参照）の外周面との距離は、遊技球Ａ１の直径（１１ｍｍ）の１．０３倍程度に設定されている。また、上流側突部９２の第１面９５を正面から見たときの延長線Ｌ１に直交して減速釘４４ａの軸部の外周面と遊技球転動通路９１とを結ぶ線分Ｌ２の長さは、遊技球Ａ１の直径の１．２０倍程度に設定されている。さらに、線分Ｌ２及び延長線Ｌ１の交点Ｓ１と減速釘４４ａの軸部の外周面との距離は、遊技球Ａ１の直径の０．８８倍程度に設定されている。
【００３７】
また図８（ａ），（ｂ）に示されるように、第１突部９３の先端と、２本の減速釘４４ｂ，４４ｃのうち右側にある減速釘４４ｃの軸部（図６，図８の破線部分参照）の外周面との距離は、遊技球Ａ１の直径の１．０３倍程度に設定されている。また、第１突部９３の第１面９５を正面から見たときの延長線Ｌ３に直交して減速釘４４ｃの軸部の外周面と遊技球転動通路９１とを結ぶ線分Ｌ４の長さは、遊技球Ａ１の直径の１．４１倍程度に設定されている。さらに、線分Ｌ４及び延長線Ｌ３の交点Ｓ２と減速釘４４ｃの軸部の外周面との距離は、遊技球Ａ１の直径の０．９３倍程度に設定されている。
（４）センター役物３１の左側部の構成
【００３８】
図１〜図３，図９〜図１２等に示されるように、センター役物３１の左側部（前記発射経路１４側の側部）には、前記ゲート２６、第１球入口７２、第１球出口７３、第２球入口７４及び球案内通路７５が設けられている。第１球入口７２は、ゲート２６よりもセンター役物３１の前記開口部３３側、具体的には、ゲート２６の右上に配置されている。また、第１球入口７２は、ゲート２６から遊技球Ａ１が通過不能な間隔を隔てて配置されている。そして、第１球入口７２は、センター役物３１の左側方にて開口している。よって、遊技領域１２内を流下する遊技球Ａ１は、第１球入口７２の左側方から迂回経路７６内に進入可能となっている。
【００３９】
なお、迂回経路７６は、『ガイド部材』であるガイド板７７、及び、装飾カバー部材７８によって構成されている。ガイド板７７は、ゲート２６の開口部３３側においてゲート２６に隣接して配置されている。ガイド板７７は、センター役物３１の外側領域に向かって凹状に形成された板状部材であり、前記役物本体３２の前面に突設されている。よって、ガイド板７７は、センター役物３１の外側領域を向いた凹状の湾曲面７７ａを有している。ガイド板７７は、第１球入口７２を介して迂回経路７６内に進入した遊技球Ａ１を第１球出口７３に案内するようになっている。また、装飾カバー部材７８は、迂回経路７６を前方から覆うように設けられ、ガイド板７７の前端（先端）に接続されている。装飾カバー部材７８は、迂回経路７６を通過する遊技球Ａ１が前側に移動するのを防止するためのものである。また、装飾カバー部材７８は、複数の孔部を有する梯子状をなしており、迂回経路７６内を正面から視認できるように形成されている。なお、本実施形態の装飾カバー部材７８は、前記跳ね上げ防止板９７と一体形成されているため、センター役物３１の部品点数を削減することができる。
【００４０】
図１〜図３，図９，図１０に示されるように、第１球出口７３は、センター役物３１の左側部において第１球入口７２の下方に設けられている。また、第１球出口７３は、ゲート２６よりもセンター役物３１の開口部３３側、具体的には、ゲート２６の右下に配置されている。そして、第１球出口７３は、センター役物３１の左側方にて開口している。よって、第１球入口７２を介して迂回経路７６内に進入した遊技球Ａ１は、第１球出口７３から前記遊技領域１２においてゲート２６の下方の領域に放出されるようになっている。
【００４１】
また、第１球出口７３の下端部には、第１球出口７３から遊技領域１２に放出された遊技球Ａ１を左方向（センター役物３１から離間する方向）へ誘導する第１球出口側突片７３ａが設けられている。第１球出口側突片７３ａは、第１球出口７３の開口端から左方に突出しており、第１球出口側突片７３ａの上面は、前記ガイド板７７の湾曲面７７ａに接続されている。第１球出口側突片７３ａの突出量は、第１球出口側突片７３ａの先端がゲート２６の開口端の直下に到達する程度、換言すると、第１球出口側突片７３ａの先端がゲート２６を通過して遊技領域１２内を流下する遊技球Ａ１に何とか接触する程度に設定されている。そして、遊技領域１２内において第１球出口側突片７３ａの突出方向の略延長線上には、誘導釘４５（図１０（ａ）参照）が植設されている。誘導釘４５は、遊技領域１２内を流下する遊技球Ａ１、または、第１球出口７３から放出された遊技球Ａ１を前記第２球入口７４に誘導しうるようになっている。
【００４２】
図１〜図３，図９〜図１１等に示されるように、第２球入口７４は、センター役物３１の左側部において第１球出口７３の下方に設けられている。そして、第２球入口７４は、センター役物３１の左側方にて開口している。よって、遊技領域１２内を流下する遊技球Ａ１は、第２球入口７４の左側方から前記球案内通路７５内に進入可能となっている。また、第２球入口７４の下端部には、遊技領域１２内を流下する遊技球Ａ１を第２球入口７４側に誘導する第２球入口側突片７４ａが設けられている。第２球入口側突片７４ａは、第２球入口７４の開口端から左上方に突出している。水平面からの第２球入口側突片７４ａの角度は約３０°に設定されている。第２球入口側突片７４ａの突出量は、前記第１球出口側突片７３ａの突出量と略等しくなっている。
【００４３】
図１１〜図１４に示されるように、球案内通路７５は、センター役物３１の左側部に沿って下方に延びている。即ち、球案内通路７５は、第２球入口７４を通過した遊技球Ａ１を下方へ案内し、球案内通路７５の下端に設けた球出口７９からセンター役物３１の内側領域に案内するようになっている。
（５）ステージ８１の構成
【００４４】
図１１〜図１４に示されるように、センター役物３１の内側領域の下部（即ち、前記役物本体３２の前記開口部３３の下側部分）には、球案内通路７５から案内された遊技球Ａ１を前記遊技領域１２に放出するステージ８１が設けられている。ステージ８１は、開口部３３の下端縁に沿って左右方向に延設されている。ステージ８１は、球案内通路７５から案内された遊技球Ａ１を受けて転動させる転動面８２をその上部に有している。転動面８２の幅（遊技機前後方向における寸法）は、遊技球Ａ１の直径よりもやや広くなっている。転動面８２は、中央にある凸部８３において最も高くなるとともに、凸部８３の左側にある左凹部８４ａ及び右側にある右凹部８４ｂにて最も低くなっており、全体として曲線的な起伏形状をなしている。また、ステージ８１の前端側には、上方向に突出する遊技球落下阻止板８７が設けられている。遊技球落下阻止板８７は、左凹部８４ａ及び右凹部８４ｂに対応する位置が切り欠かれており、左凹部８４ａ及び右凹部８４ｂ以外の部位から遊技球Ａ１が遊技領域１２に落下するのを阻止するようになっている。
【００４５】
図１２〜図１４に示されるように、凸部８３は、円形状をなす落下孔８６を有している。また、凸部８３は、後側に行くに従って低くなる形状をなす凸部放出部８５を有している。凸部放出部８５は、前面側から見て凹状をなしており、後側に行くに従って幅広になっている。また、落下孔８６は球経路に連通しており、球経路の末端には、前記フランジ部３４の前面にて開口する排出口８８が設けられている。なお、排出口８８は、前記始動入賞装置２２の真上位置かつ始動入賞装置２２の後側に存在している。
（６）可動体ユニット５１の構成
【００４６】
図１，図１５に示されるように、前記センター役物３１の内側領域の下部には、前記図柄表示装置１８での表示演出に合わせた可動演出を行う可動体ユニット５１が取り付けられている。図１５〜図２２等に示されるように、可動体ユニット５１を構成するユニット本体５２には、６個の演出用可動体５３と、３つの可動体カバー５４とが取り付けられている。３つの可動体カバー５４のうち２つの可動体カバー５４は、それぞれ３個の演出用可動体５３の下側に配置され、残り１つの可動体カバー５４は、両可動体カバー５４の間に配置されている。なお、各可動体カバー５４と前記ステージ８１とによって、遊技球Ａ１が通過する遊技球通路が構成される。また、各可動体カバー５４の下側面は、全体として曲線的な起伏形状をなしているため、ステージ８１から遊技領域１２に落下する遊技球Ａ１の動きに変化を与えることができる。
【００４７】
また、各演出用可動体５３は、ユニット本体５２の上側において回動軸５５を介して上下方向に揺動可能となっている。また、各演出用可動体５３は発光部５６を備えており、発光部５６は、演出用可動体５３内において発光部５６の裏側に配設されたＬＥＤ基板５７の発光ダイオード（図示略）によって点灯・点滅するようになっている。
【００４８】
図１６〜図１９等に示されるように、各演出用可動体５３は、ユニット本体５２に内蔵された可動体モータ５８の回転に伴って揺動するようなっている。具体的に言うと、可動体モータ５８の回転軸にはモータギア５９が取り付けられ、モータギア５９には第１リブ６０が設けられている。また、演出用可動体５３には、上下方向に延びるアーム６１が回動軸６１ａを介して回動可能に設けられ、アーム６１の下端部には、モータギア５９側に突出する第２リブ６２が形成されている。そして、可動体モータ５８及びモータギア５９が回転すると、モータギア５９に設けられた第１リブ６０が第２リブ６２を押し下げることにより、各演出用可動体５３のうち１つの演出用可動体５３が揺動するようになっている（図１８及び図２１（ａ），（ｂ）参照）。これに伴い、演出用可動体５３に対して揺動可能に取り付けられた人形６３が、同人形６３の自重により演出用可動体５３にぶら下がった状態となる（図１８，図２１（ａ）参照）。また、一端がアーム６１に取り付けられるとともに他端がユニット本体５２に取り付けられたバネ６４が延びるようになる。その後、さらに可動体モータ５８及びモータギア５９が回転し、第１リブ６０が第２リブ６２から離れていくと、バネ６４の復元力により、演出用可動体５３及び人形６３は元の位置に戻る（図２０（ａ），（ｂ）参照）。なお、他の演出用可動体５３を揺動させる機構は、モータギア５９の第１リブ６０によって揺動する演出用可動体５３と同様の機構となっている。即ち、他の演出用可動体５３は、それぞれ連結ギア６５に設けられた第１リブ６０によって揺動するようになっている。連結ギア６５は、他の連結ギア６５や中継ギア６６に噛み合っており、モータギア５９の回転に伴って回転するようになっている（図１９参照）。
【００４９】
図１６，図２２に示されるように、モータギア５９において第１リブ６０が設けられている面の反対側の面には、遮光板６７が突設されている。また、ユニット本体５２内にはセンサ基板６８が設けられ、センサ基板６８には、遮光板６７を検出する位置検出センサ６９が設けられている。位置検出センサ６９は、略コ字状をなし、溝部を隔てて互いに向かい合う発光部と受光部とを備えている。位置検出センサ６９は、モータギア５９の回動に伴う遮光板６７の動きを非接触状態で検知するようになっている。具体的に言うと、位置検出センサ６９は、第１リブ６０が第２リブ６２に接触していない状態であって、発光部からの光を遮光板６７が遮って受光部が受光不能となる場合（図２２（ａ），（ｂ）参照）に、遮光板６７を検知する（オン状態となる）ようになっている。この場合、位置検出センサ６９は、演出用可動体５３が揺動前の初期位置にあることを示す検出信号を、パチンコ機が備える統括制御基板（図示略）のＣＰＵ（中央処理装置）に出力する。一方、発光部からの光を受光部が受光可能となる場合、位置検出センサ６９は、遮光板６７を検知せず（オフ状態となり）、検出信号を出力しない。
【００５０】
次に、遊技球転動通路９１を通過する遊技球Ａ１の動きを説明する。
【００５１】
例えば、発射装置によって発射されて遊技領域１２に進入した遊技球Ａ１が球戻り防止用釘４２の上方を通過した場合、遊技球Ａ１は、センター役物３１の上部中央付近に到達する。そして、遊技球Ａ１は、案内釘４３などに衝突しながら遊技球転動通路９１上に案内される。
【００５２】
遊技球Ａ１が、遊技球転動通路９１上を流下して上流側突部９２に到達した場合（図６，図７（ａ）参照）、遊技球Ａ１は、上流側突部９２に衝突して勢いが弱められる。さらに、遊技球Ａ１は、上流側突部９２の第１面９５上を通過して跳ね上げられて減速釘４４ａに衝突する（図７（ｂ）参照）。これにより、遊技球Ａ１の勢いが弱められるとともに遊技球Ａ１の向きが変更され、遊技球Ａ１は、遊技球転動通路９１における上流側突部９２の下流側の領域に落下する。そして、遊技球Ａ１は、再び遊技球転動通路９１上を流下する。
【００５３】
次に、遊技球Ａ１が遊技球転動通路９１上を流下して第１突部９３に到達した場合（図６参照）、遊技球Ａ１は、第１突部９３に衝突して勢いが弱められる。さらに、遊技球Ａ１は、第１突部９３の第１面９５上を通過して跳ね上げられて減速釘４４ｂ，４４ｃに衝突する（図８（ａ）参照）。これにより、遊技球Ａ１の勢いが弱められるとともに遊技球Ａ１の向きが変更され、遊技球Ａ１は、落下して第２突部９４上に衝突し、勢いがさらに弱められる（図８（ｂ）参照）。さらに、遊技球Ａ１は、第２突部９４の第１面９５上を通過して跳ね上げられ、遊技球転動通路９１における第２突部９４の下流側に落下する。その後、遊技球Ａ１は、再び遊技球転動通路９１上を流下し、遊技球転動通路９１の左端部（下流側端部）から落下する。
【００５４】
次に、センター役物３１の左側を流下する遊技球Ａ１の動きを説明する。
【００５５】
遊技球転動通路９１の左端部から落下するなどして、遊技領域１２内においてセンター役物３１の左端部近傍まで流下した遊技球Ａ１は、１．ゲート２６に進入する経路、２．第１球入口７２から迂回経路７６に進入する経路、３．ゲート２６の左側の経路のいずれかを通過する。１．の経路をとる場合、遊技球Ａ１は、ゲート２６を通過した後、遊技領域１２におけるゲート２６の下方の領域を流下する（図１０（ａ）参照）。なお、遊技球Ａ１は、ゲート２６の下方の領域に到達した際に第１球出口側突片７３ａに接触すると、向きが変更されて左下方に流下するが、第１球出口側突片７３ａに接触しなければ、そのまま下方に流下する。一方、２．の経路をとる場合、遊技球Ａ１は、第１球入口７２から迂回経路７６に進入した後、迂回経路７６を通過して第１球出口７３からゲート２６の下方の領域に導かれる（図９参照）。このとき、遊技球Ａ１は、第１球出口側突片７３ａによって左方向に誘導されて誘導釘４５（図１０（ａ）参照）に衝突しうるようになっている。遊技球Ａ１が誘導釘４５に衝突すると、遊技球Ａ１は、誘導釘４５によって向きが変更され、第２球入口７４側に誘導される。なお、３．の経路をとる場合、遊技球Ａ１は、遊技釘４１によって向きを変更しながら遊技領域１２内を流下する。そして、誘導釘４５に衝突すると、遊技球Ａ１は、誘導釘４５によって向きが変更され、第２球入口７４側に誘導される可能性が高くなる。
【００５６】
その後、１．〜３．の経路を通過した遊技球Ａ１が第２球入口側突片７４ａ上に到達すると、遊技球Ａ１は、第２球入口側突片７４ａ上を転動して第２球入口７４から球案内通路７５内に進入する（図１２参照）。そして、遊技球Ａ１は、球案内通路７５内を下方に移動し、球出口７９からステージ８１の転動面８２上に導かれる。
【００５７】
次に、ステージ８１による遊技球Ａ１の振分方法を説明する。
【００５８】
図１４に示されるように、転動面８２上に導かれた遊技球Ａ１は、凸部８３、左凹部８４ａ及び右凹部８４ｂを通過するのに伴って加減速を繰り返しながら、転動面８２上を左右方向に往復移動する。そして、遊技球Ａ１の勢いがなくなると、遊技球Ａ１は、凸部放出部８５、左凹部８４ａ及び右凹部８４ｂのいずれか１つから遊技領域１２に放出される。具体的に言うと、凸部放出部８５に到達した遊技球Ａ１は、落下孔８６を介して球経路内に進入し、排出口８８から遊技領域１２に放出される。なお図１に示されるように、落下孔８６に導かれた遊技球Ａ１は、始動入賞装置２２の直上から落下するため、高確率で始動入賞装置２２の第１始動入賞口２２ａに入球する。一方、左凹部８４ａや右凹部８４ｂに導かれた遊技球Ａ１は、直接遊技領域１２に放出される。なお図１４に示されるように、遊技領域１２を流下する遊技球Ａ１が遊技釘４１に跳ね返って転動面８２上に導かれた場合でも、遊技球Ａ１は転動面８２上を転動し、凸部放出部８５、右凹部８４ｂ及び右凹部８４ｂのいずれかから遊技領域１２に放出される。
【００５９】
従って、本実施形態によれば以下のような効果を得ることができる。
【００６０】
（１）本実施形態のパチンコ機では、ゲート２６の下方に第１球出口７３が設けられ、第１球出口７３の下方に第２球入口７４が設けられているため、第１球出口７３から放出された遊技球Ａ１だけでなく、ゲート２６を通過した遊技球Ａ１であっても、第２球入口７４を介してステージ８１に案内される可能性がある。よって、遊技球Ａ１の動きに多様性を持たせることができ、興趣の向上を図ることができる。さらに、第１球出口７３の下方に第２球入口７４が設けられているため、第１球入口７２を介して迂回経路７６内に進入したにもかかわらず第１球出口７３から放出された遊技球Ａ１であっても、第２球入口７４を介してステージ８１に案内される可能性がある。よって、遊技球Ａ１の動きがさらに多様化されるため、遊技の興趣がよりいっそう向上する。
【００６１】
また、第１球入口７２が、ゲート２６よりも遊技球Ａ１が通過不能な間隔を隔てて開口部３３側に設けられている。換言すると、ゲート２６は、センター役物３１に設けられた第１球入口７２の近傍に配置されている。これにより、第１球入口７２の近傍にある遊技球Ａ１が、第１球入口７２だけでなくゲート２６にも誘導されうるようになる。このため、第１球入口７２に遊技球Ａ１を誘導する遊技釘４１とゲート２６に遊技球Ａ１を誘導する遊技釘４１とを共通化することができ、それ以外の遊技釘４１の取付位置の自由度が高くなる。
【００６２】
（２）本実施形態では、ゲート２６に対して上方から遊技球Ａ１が通過するのに対して、第１球入口７２に対して左側方から遊技球Ａ１が通過するため、遊技球Ａ１の動きがさらに多様化される。従って、遊技者は、ゲート２６付近や第１球入口７２付近の遊技球Ａ１の動きに興味を持つことになるため、遊技の興趣がよりいっそう向上する。
【００６３】
（３）本実施形態では、センター役物３１の設置領域の面積が遊技領域１２の面積の６５％程度を占めているため、センター役物３１の左側の遊技領域１２において、遊技球Ａ１の流下経路を複数確保しつつ、ゲート２６の配置スペースを確保することは困難である。そこで本実施形態では、ゲート２６をセンター役物３１の側部に一体的に設け、さらに、迂回経路７６に連通する第１球入口７２をゲート２６よりもセンター役物３１の開口部３３側に配置している。これにより、遊技領域１２が狭くても、遊技球Ａ１の流下経路とゲート２６の配置スペースとを確実に確保することができる。
【００６４】
なお、本発明の実施形態は以下のように変更してもよい。
【００６５】
・上記実施形態の第１球入口７２は、ゲート２６の上方に配置されていたが、ゲート２６の下方に配置されていてもよいし、ゲート２６と同じ高さに配置されていてもよい。
【００６６】
・上記実施形態の装飾カバー部材７８は、跳ね上げ防止板９７と一体形成されていたが、跳ね上げ防止板９７とは別体に形成されていてもよい。
【００６７】
次に、特許請求の範囲に記載された技術的思想のほかに、前述した実施形態によって把握される技術的思想を以下に列挙する。
【００６８】
（１）請求項１乃至３のいずれか１項において、前記遊技盤面上にある内レールと外レールとによって構成され、発射装置によって発射された遊技球が通過する発射経路を備え、前記普通図柄作動口、前記第１球入口、前記第１球出口及び前記第２球入口のそれぞれが、装飾部材において前記発射経路側の側部に設けられていることを特徴とする遊技機。
【００６９】
（２）技術的思想（１）において、前記開口部を含む前記装飾部材の設置領域の面積は、前記遊技領域の面積の６０％以上を占めており、前記遊技領域に侵入した遊技球の殆どが、前記装飾部材の前記発射経路側を流下し、前記装飾部材と前記内レールとの間の領域が役物が設置困難な大きさであることを特徴とする遊技機。
【００７０】
（３）請求項１乃至３、技術的思想（１），（２）のいずれか１つにおいて、前記第２球入口の下端部には第２球入口側突片が設けられ、前記第２球入口側突片は、前記第２球入口の開口端から左上方に突出していることを特徴とする遊技機。
【００７１】
（４）請求項１乃至３、技術的思想（１）乃至（３）のいずれか１つにおいて、前記迂回経路は、前記ガイド部材、及び、前記迂回経路を前方から覆う装飾カバー部材によって構成されていることを特徴とする遊技機。
【００７２】
（５）技術的思想（４）において、前記装飾部材の左上部に、前記装飾部材の中央部から左側に行くに従って低くなる遊技球転動通路を設け、前記装飾部材の左上部の前側に、前記遊技球転動通路を転動する遊技球が前側に跳ね上がるのを防止する跳ね上げ防止板を設け、前記装飾カバー部材は、前記跳ね上げ防止板と一体形成されていることを特徴とする遊技機。
【図面の簡単な説明】
【００７３】
【図１】本実施形態における遊技盤を示す正面図。
【図２】センター役物を示す正面図。
【図３】センター役物を示す側面図。
【図４】センター役物を示す分解斜視図。
【図５】遊技盤の一部を示す要部正面図。
【図６】遊技盤の一部を示す要部正面図。
【図７】（ａ），（ｂ）は遊技球の動きを示す説明図。
【図８】（ａ），（ｂ）は遊技球の動きを示す説明図。
【図９】ゲート、第１球入口及び第１球出口などを示す斜視図。
【図１０】（ａ）はゲート、第１球入口及び第１球出口などを示す正面図、（ｂ）はゲート、第１球入口及び第１球出口などを示す側面図。
【図１１】第２球入口及び球案内通路などを示す正面図。
【図１２】第２球入口及び球案内通路などを示す斜視図。
【図１３】ステージなどの構造を示す上面図。
【図１４】ステージなどの構造を示す斜視図。
【図１５】センター役物の下部を示す斜視図。
【図１６】可動体ユニットの正面図。
【図１７】（ａ）は可動体ユニットの左側面図、（ｂ）は可動体ユニットの右側面図。
【図１８】演出用可動体の動きを示す説明図。
【図１９】可動体ユニットの内部構造を示す図。
【図２０】（ａ），（ｂ）は演出用可動体の動きを示す説明図。
【図２１】（ａ），（ｂ）は演出用可動体の動きを示す説明図。
【図２２】（ａ），（ｂ）は遮光板及び位置検出センサなどを示す斜視図。
【符号の説明】
【００７４】
１１…遊技盤
１２…遊技領域
１８…図柄表示装置
２２…始動入賞装置
２２…始動入賞装置の入賞口としての第２始動入賞口
２２ｃ…開閉部材としての羽根部材
２４…特別入賞装置としての大入賞装置
２６…普通図柄作動口としてのゲート
３１…装飾部材としてのセンター役物
３３…開口部
３５…普通図柄表示部
４５…誘導釘
７２…第１球入口
７３…第１球出口
７３ａ…第１球出口側突片
７４…第２球入口
７５…球案内通路
７６…迂回経路
７７…ガイド部材としてのガイド板
７７ａ…湾曲面
８１…ステージ
Ａ１…遊技球
Ｈ…表示領域
【図１】
0005188157.tif 000002
【図２】
0005188157.tif 000003
【図３】
0005188157.tif 000004
【図４】
0005188157.tif 000005
【図５】
0005188157.tif 000006
【図６】
0005188157.tif 000007
【図７】
0005188157.tif 000008
【図８】
0005188157.tif 000009
【図９】
0005188157.tif 000010
【図１０】
0005188157.tif 000011
【図１１】
0005188157.tif 000012
【図１２】
0005188157.tif 000013
【図１３】
0005188157.tif 000014
【図１４】
0005188157.tif 000015
【図１５】
0005188157.tif 000016
【図１６】
0005188157.tif 000017
【図１７】
0005188157.tif 000018
【図１８】
0005188157.tif 000019
【図１９】
0005188157.tif 000020
【図２０】
0005188157.tif 000021
【図２１】
0005188157.tif 000022
【図２２】
0005188157.tif 000023